(57)【要約】【課題】本発明は、共振電流を迅速に減衰させることができる電力変換装置を提供する。【解決手段】電力変換装置において、各上アームスイッチＳＨ１，ＳＨ２の高電位側端子には、直流電源の正極側が接続される第１接続点Ｔ１が接続され、各下アームスイッチＳＬ１，ＳＬ２の低電位側端子には、直流電源の負極側が接続される第２接続点Ｔ２が接続されている。電力変換装置は、各上アームスイッチＳＨ１，ＳＨ２の低電位側端子と各下アームスイッチＳＬ１，ＳＬ２の高電位側端子とを接続する中間経路ＰＭ１Ａ〜ＰＭ２Ｂと、各中間経路ＰＭ１Ａ〜ＰＭ２Ｂ及び出力点Ｔ３を接続する各出力経路Ｐ１，Ｐ２と、各中間経路ＰＭ１Ａ〜ＰＭ２Ｂを接続する抵抗体５０とを備えている。【選択図】      図２
2019097285.tif 000002
【特許請求の範囲】
【請求項１】
上アーム素子及び下アーム素子の直列接続体を複数備える電力変換装置（２０）において、
前記上アーム素子は、上アームスイッチ（ＳＨ１〜ＳＨ３）と、該上アームスイッチに逆並列接続された上アームダイオード（ＤＨ１〜ＤＨ３）と、を有し、
前記下アーム素子は、下アームスイッチ（ＳＬ１〜ＳＬ３）と、該下アームスイッチに逆並列接続された下アームダイオード（ＤＬ１〜ＤＬ３）と、を有し、
前記各直列接続体において、前記上アームスイッチの高電位側端子には、直流電源（１０）の正極側が接続される第１接続点（Ｔ１）が接続され、
前記各直列接続体において、前記下アームスイッチの低電位側端子には、前記直流電源の負極側が接続される第２接続点（Ｔ２）が接続され、
前記各直列接続体において、前記上アームスイッチの低電位側端子と前記下アームスイッチの高電位側端子とを接続する電気経路である中間経路（ＰＭ１Ａ〜ＰＭ３Ｂ，ＰＭ１，ＰＭ２，ＨＢ１，ＨＢ２，ＢＰＨ，ＢＰＬ）と、
前記各中間経路と、外部負荷（３０）に接続される出力点（Ｔ３）とを接続する電気経路である出力経路（Ｐ１〜Ｐ３）と、
前記各中間経路を互いに接続する抵抗体（５０〜５２，５５Ｈ，５５Ｌ，５６Ｈ，５６Ｌ）と、を備える電力変換装置。
【請求項２】
前記抵抗体に接続された一対の前記中間経路、一対の前記中間経路それぞれに接続された前記上アーム素子、前記第１接続点、一対の前記中間経路それぞれに接続された前記出力経路及び前記出力点を含む第１閉ループ回路の共振周波数、又は前記抵抗体に接続された一対の前記中間経路、一対の前記中間経路それぞれに接続された前記下アーム素子、前記第２接続点、一対の前記中間経路それぞれに接続された前記出力経路及び前記出力点を含む第２閉ループ回路の共振周波数のいずれかを対象周波数とする場合、前記抵抗体の前記対象周波数におけるインピーダンスが、前記抵抗体に並列接続された前記出力経路の前記対象周波数におけるインピーダンス以下とされている請求項１に記載の電力変換装置。
【請求項３】
前記対象周波数は、前記第１閉ループ回路の共振周波数及び前記第２閉ループ回路の共振周波数のうち高い方の共振周波数である請求項２に記載の電力変換装置。
【請求項４】
前記抵抗体に直列接続されたコンデンサを備える請求項１〜３のいずれか１項に記載の電力変換装置。
【発明の詳細な説明】
【技術分野】
【０００１】
本発明は、電力変換装置に関する。
【背景技術】
【０００２】
従来、例えば下記特許文献１に見られるように、各相において、上アームスイッチ及び下アームスイッチの直列接続体を複数備える電力変換装置が知られている。この電力変換装置について説明すると、上，下アームスイッチのそれぞれには、還流ダイオードが逆並列に接続されている。各直列接続体の上アームスイッチの高電位側端子には、直流電源の正極側が接続され、各直列接続体の下アームスイッチの低電位側端子には、直流電源の負極側が接続されている。各直列接続体において、上アームスイッチの低電位側端子と下アームスイッチの高電位側端子とは中間経路により接続されている。各直列接続体の中間経路と、外部負荷に接続される出力点とは出力経路により接続されている。
【先行技術文献】
【特許文献】
【０００３】
【特許文献１】特開２００７−１５１２８６号公報
【発明の概要】
【発明が解決しようとする課題】
【０００４】
上，下アームスイッチがデッドタイムを挟みつつ交互にオンされることに起因して、還流ダイオードにはリカバリ電流が流れる。上アームスイッチを例にして説明すると、複数の上アームスイッチそれぞれに対応する各還流ダイオードに流れるリカバリ電流の大きさが相違し得る。この場合、リカバリ電流の差に応じた共振電流が、還流ダイオード、中間経路及び出力経路を含む閉ループ回路を循環する。この共振電流は、電力変換装置の外部に漏洩してノイズとなり得る。このため、共振電流が発生したとしても、その共振電流を極力早期に減衰させることが望ましい。
【０００５】
本発明は、共振電流を迅速に減衰させることができる電力変換装置を提供することを主たる目的とする。
【課題を解決するための手段】
【０００６】
本発明は、上アーム素子及び下アーム素子の直列接続体を複数備える電力変換装置において、前記上アーム素子は、上アームスイッチと、該上アームスイッチに逆並列接続された上アームダイオードと、を有し、前記下アーム素子は、下アームスイッチと、該下アームスイッチに逆並列接続された下アームダイオードと、を有し、前記各直列接続体において、前記上アームスイッチの高電位側端子には、直流電源の正極側が接続される第１接続点が接続され、前記各直列接続体において、前記下アームスイッチの低電位側端子には、前記直流電源の負極側が接続される第２接続点が接続され、前記各直列接続体において、前記上アームスイッチの低電位側端子と前記下アームスイッチの高電位側端子とを接続する電気経路である中間経路と、前記各中間経路と、外部負荷に接続される出力点とを接続する電気経路である出力経路と、前記各中間経路を互いに接続する抵抗体と、を備える。
【０００７】
本発明では、各直列接続体の中間経路が抵抗体により互いに接続されている。このため、上，下アームスイッチのスイッチングにより、リカバリ電流の差に応じた共振電流が発生したとしても、発生した共振電流が抵抗体を流れることにより共振電流の一部が熱に変換される。その結果、共振電流を迅速に減衰させることができる。
【図面の簡単な説明】
【０００８】
【図１】第１実施形態に係る制御システムの全体構成図。
【図２】アーム部の構成を示す図。
【図３】共振電流の循環態様の一例を示す図。
【図４】共振電流の循環態様の一例を示す図。
【図５】第２実施形態に係るアーム部の構成を示す図。
【図６】第３実施形態に係るアーム部の構成を示す図。
【図７】第４実施形態に係るアーム部の構成を示す図。
【図８】第５実施形態に係るアーム部の構成を示す図。
【発明を実施するための形態】
【０００９】
＜第１実施形態＞
以下、本発明に係る電力変換装置を具体化した第１実施形態について、図面を参照しつつ説明する。
【００１０】
図１に示すように、制御システムは、直流電源１０、電力変換装置を構成するインバータ２０、外部負荷としての回転電機３０及び制御装置４０を備えている。直流電源１０は、例えば２次電池である。
【００１１】
回転電機３０は、インバータ２０を介して直流電源１０に電気的に接続されている。本実施形態では、回転電機３０として、３相のものを用いている。回転電機３０は、３相分の巻線３１を備えている。各巻線３１の第１端には、バスバー等の導電部材１３を介して各アーム部２１が接続されている。各巻線３１の第２端は、中性点で接続されている。すなわち、各巻線３１は星形結線されている。回転電機３０は、例えば永久磁石同期機である。なお、直流電源１０には、コンデンサ１１が並列接続されている。
【００１２】
インバータ２０は、正極側導電部材１２Ｈ、負極側導電部材１２Ｌ及び３相分のアーム部２１を備えている。正極側導電部材１２Ｈ及び負極側導電部材１２Ｌは、例えばバスバーである。正極側導電部材１２Ｈには、直流電源１０の正極側が接続され、負極側導電部材１２Ｌには、直流電源１０の負極側が接続されている。
【００１３】
図２を用いて、各アーム部２１の構成について説明する。本実施形態において、各相のアーム部２１は、基本的には同じ構成である。このため、図２には、１相分のアーム部２１を示す。
【００１４】
アーム部２１は、第１上アームスイッチＳＨ１、第１下アームスイッチＳＬ１、第２上アームスイッチＳＨ２及び第２下アームスイッチＳＬ２を備えている。本実施形態において、各スイッチＳＨ１，ＳＬ１，ＳＨ２，ＳＬ２は、ＩＧＢＴである。第１上アームスイッチＳＨ１には、第１上アームダイオードＤＨ１が逆並列に接続され、第１下アームスイッチＳＬ１には、第１下アームダイオードＤＬ１が逆並列に接続されている。第２上アームスイッチＳＨ２には、第２上アームダイオードＤＨ２が逆並列に接続され、第２下アームスイッチＳＬ２には、第２下アームダイオードＤＬ２が逆並列に接続されている。ちなみに、本実施形態において、例えば、第１上アームスイッチＳＨ１及び第１上アームダイオードＤＨ１が上アーム素子に相当し、第１下アームスイッチＳＬ１及び第１下アームダイオードＤＬ１が下アーム素子に相当する。
【００１５】
第１上アームスイッチＳＨ１の高電位側端子であるコレクタには、第１高圧経路ＰＨ１を介して正極側導電部材１２Ｈが接続され、第２上アームスイッチＳＨ２のコレクタには、第２高圧経路ＰＨ２を介して正極側導電部材１２Ｈが接続されている。正極側導電部材１２Ｈのうち、各高圧経路ＰＨ１，ＰＨ２との接続点を第１接続点Ｔ１と称すこととする。
【００１６】
第１上アームスイッチＳＨ１の低電位側端子であるエミッタには、第１Ａ中間経路ＰＭ１Ａ及び第１Ｂ中間経路ＰＭ１Ｂを介して、第１下アームスイッチＳＬ１のコレクタが接続されている。第２上アームスイッチＳＨ２のエミッタには、第２Ａ中間経路ＰＭ２Ａ及び第２Ｂ中間経路ＰＭ２Ｂを介して、第２下アームスイッチＳＬ２のコレクタが接続されている。第１下アームスイッチＳＬ１のコレクタには、第１低圧経路ＰＬ１を介して負極側導電部材１２Ｌが接続され、第２下アームスイッチＳＬ２のコレクタには、第２低圧経路ＰＬ２を介して負極側導電部材１２Ｌが接続されている。負極側導電部材１２Ｌのうち、各低圧経路ＰＬ１，ＰＬ２との接続点を第２接続点Ｔ２と称すこととする。
【００１７】
第１Ａ中間経路ＰＭ１Ａ及び第１Ｂ中間経路ＰＭ１Ｂの接続点には、第１出力経路Ｐ１を介して導電部材１３の第１端が接続されている。第２Ａ中間経路ＰＭ２Ａ及び第２Ｂ中間経路ＰＭ２Ｂの接続点には、第２出力経路Ｐ２を介して導電部材１３の第１端が接続されている。導電部材１３のうち、各出力経路Ｐ１，Ｐ２との接続点を第３接続点Ｔ３と称すこととする。
【００１８】
第１Ａ中間経路ＰＭ１Ａ及び第１Ｂ中間経路ＰＭ１Ｂの接続点には、抵抗体５０を介して、第２Ａ中間経路ＰＭ２Ａ及び第２Ｂ中間経路ＰＭ２Ｂの接続点が接続されている。
【００１９】
図１の説明に戻り、制御装置４０は、回転電機３０の制御量をその指令値に制御すべく、インバータ２０を駆動する。制御量は、例えばトルクである。制御装置４０は、各アーム部２１の各スイッチをオンオフすべく、各スイッチに対応する駆動信号を、各スイッチのゲートに対して出力する。本実施形態では、各アーム部２１において、第１上アームスイッチＳＨ１と第２上アームスイッチＳＨ２とが同期してオンオフされ、第１下アームスイッチＳＬ１と第２下アームスイッチＳＬ２とが同期してオンオフされる。また、各アーム部２１において、各上アームスイッチＳＨ１，ＳＨ２と各下アームスイッチＳＬ１，ＳＬ２とは、デッドタイムを挟みつつ交互にオンされる。
【００２０】
ところで、各アーム部２１において、各ダイオードＤＨ１，ＤＨ２，ＤＬ１，ＤＬ２にはリカバリ電流が流れ得る。図３には、デッドタイムの後、各下アームスイッチＳＬ１，ＳＬ２がオンに切り替えられて各上アームダイオードＤＨ１，ＤＨ２にリカバリ電流が流れている状態を示す。第１上アームダイオードＤＨ１に流れる第１リカバリ電流Ｉａと、第２上アームダイオードＤＨ２に流れる第２リカバリ電流Ｉｂとは相違し得る。この相違は、例えば、第１上アームダイオードＤＨ１の寄生容量と第２上アームダイオードＤＨ２の寄生容量とが相違することに起因して生じる。図３には、第１リカバリ電流Ｉａが第２リカバリ電流Ｉｂよりも大きい場合を示す。
【００２１】
第１リカバリ電流Ｉａと第２リカバリ電流Ｉｂとが相違すると、図３に破線にて示す共振電流が流れる。図３に示す共振電流は、第１接続点Ｔ１、第１高圧経路ＰＨ１、第１上アームダイオードＤＨ１、第１Ａ中間経路ＰＭ１Ａ、第１出力経路Ｐ１、第３接続点Ｔ３、第２出力経路Ｐ２、第２Ａ中間経路ＰＭ２Ａ、第２上アームダイオードＤＨ２及び第２高圧経路ＰＨ２を含む閉ループ回路である上アーム回路を循環する。本実施形態において、上アーム回路が第１閉ループ回路に相当する。なお、図４には、上アーム回路の各上アームダイオードＤＨ１，ＤＨ２を容量成分の記号で示し、各下アームスイッチＳＬ１，ＳＬ２を抵抗成分の記号で示した。
【００２２】
共振電流は、上アーム回路における配線及び導体の寄生インダクタンスと素子の寄生容量とで決まる直列共振周波数である第１共振周波数ｆｒ１で大きく振動する。図３，図４には、各経路に存在する寄生インダクタンスを示す。大きく振動する共振電流の一部は、インバータ２０の外部に漏洩してノイズとなる。
【００２３】
ここで、本実施形態では、抵抗体５０が設けられている。このため、上アーム回路を循環する共振電流の一部が抵抗体５０に流れ、抵抗体５０において共振電流が熱に変換される。これにより、共振電流を迅速に減衰させ、共振電流に起因した外部への漏洩ノイズを抑制できる。
【００２４】
なお、デッドタイムの後、各上アームスイッチＳＨ１，ＳＨ２がオンに切り替えられて各下アームダイオードＤＬ１，ＤＬ２にリカバリ電流が流れる。この場合、共振電流は、第２接続点Ｔ２、第１低圧経路ＰＬ１、第１下アームダイオードＤＬ１、第１Ｂ中間経路ＰＭ１Ｂ、第１出力経路Ｐ１、第３接続点Ｔ３、第２出力経路Ｐ２、第２Ｂ中間経路ＰＭ２Ｂ、第２下アームダイオードＤＬ２及び第２低圧経路ＰＬ２を含む閉ループ回路である下アーム回路を流れる。本実施形態において、下アーム回路が第２閉ループ回路に相当する。下アーム回路を循環する共振電流は、下アーム回路における配線及び導体の寄生インダクタンスと素子の寄生容量とで決まる直列共振周波数である第２共振周波数ｆｒ２で大きく振動する。下アーム回路を循環する共振電流の一部が抵抗体５０に流れ、抵抗体５０において共振電流が熱に変換される。これにより、共振電流を迅速に減衰させることができる。
【００２５】
本実施形態では、第１共振周波数ｆｒ１及び第２共振周波数ｆｒ２のうち高い方の周波数である対象周波数において、抵抗体５０のインピーダンスが、第１出力経路Ｐ１及び第２出力経路Ｐ２の合成インピーダンスと同じ値又は合成インピーダンス未満の値とされている。このため、少なくとも上アームと下アームいずれか一方の共振電流を抵抗体５０に流すことができ、共振電流を減衰させることができる。つまり、抵抗体５０に電流を流すには、抵抗体５０のインピーダンスを上記合成インピーダンス以下にする必要がある。この合成インピーダンスＺは、周波数ｆに比例し、具体的には、出力経路の寄生インダクタンスをＬ＊とすると、Ｚ＝２π×ｆ×Ｌ＊の関係がある。このため、第１共振周波数ｆｒ１及び第２共振周波数ｆｒ２のうち高い方の周波数における抵抗体５０のインピーダンスを上記合成インピーダンス以下にしておく。
【００２６】
＜第２実施形態＞
以下、第２実施形態について、第１実施形態との相違点を中心に図面を参照しつつ説明する。本実施形態では、図５に示すように、抵抗体５０にコンデンサ６０が直列接続されている。なお、図５において、先の図２に示した構成と同一の構成については、便宜上、同一の符号を付している。
【００２７】
コンデンサ６０によれば、抵抗体５０に流れようとする共振電流の直流成分を抑制できる。これにより、抵抗体５０に共振電流が流れる場合に抵抗体５０が過熱状態となるのを防止できる。
【００２８】
＜第３実施形態＞
以下、第３実施形態について、第１実施形態との相違点を中心に図面を参照しつつ説明する。本実施形態において、各相のアーム部２１は、図６に示すように、上，下アームスイッチの直列接続体を３つ備えている。なお、図６において、先の図２に示した構成と同一の構成については、便宜上、同一の符号を付している。
【００２９】
アーム部２１は、さらに、第３上アームスイッチＳＨ３及び第３下アームスイッチＳＬ３を備えている。本実施形態において、各スイッチＳＨ３，ＳＬ３は、ＩＧＢＴである。第３上アームスイッチＳＨ３には、第３上アームダイオードＤＨ３が逆並列に接続され、第３下アームスイッチＳＬ３には、第３下アームダイオードＤＬ３が逆並列に接続されている。第３上アームスイッチＳＨ３のコレクタには、第３高圧経路ＰＨ３を介して第１接続点Ｔ１が接続されている。第３上アームスイッチＳＨ３のエミッタには、第３Ａ中間経路ＰＭ３Ａ及び第３Ｂ中間経路ＰＭ３Ｂを介して、第３下アームスイッチＳＬ３のコレクタが接続されている。第３下アームスイッチＳＬ３のコレクタには、第３低圧経路ＰＬ３を介して第２接続点Ｔ２が接続されている。第３Ａ中間経路ＰＭ３Ａ及び第３Ｂ中間経路ＰＭ３Ｂの接続点には、第３出力経路Ｐ３を介して第３接続点Ｔ３が接続されている。
【００３０】
第１Ａ中間経路ＰＭ１Ａ及び第１Ｂ中間経路ＰＭ１Ｂの接続点には、第１抵抗体５０を介して、第２Ａ中間経路ＰＭ２Ａ及び第２Ｂ中間経路ＰＭ２Ｂの接続点が接続されている。第２Ａ中間経路ＰＭ２Ａ及び第２Ｂ中間経路ＰＭ２Ｂの接続点には、第２抵抗体５１を介して、第３Ａ中間経路ＰＭ３Ａ及び第３Ｂ中間経路ＰＭ３Ｂの接続点が接続されている。第３Ａ中間経路ＰＭ３Ａ及び第３Ｂ中間経路ＰＭ３Ｂの接続点には、第３抵抗体５２を介して、第１Ａ中間経路ＰＭ１Ａ及び第１Ｂ中間経路ＰＭ１Ｂの接続点が接続されている。
【００３１】
本実施形態において、上記第１実施形態の上，下アーム回路を第１上，下アーム回路とする。本実施形態において、第１接続点Ｔ１、第２高圧経路ＰＨ２、第２上アームダイオードＤＨ２、第２Ａ中間経路ＰＭ２Ａ、第２出力経路Ｐ２、第３接続点Ｔ３、第３出力経路Ｐ３、第３Ａ中間経路ＰＭ３Ａ、第３上アームダイオードＤＨ３及び第３高圧経路ＰＨ３を含む閉ループ回路を第２上アーム回路とする。また、第２接続点Ｔ２、第２低圧経路ＰＬ２、第２下アームダイオードＤＬ２、第２Ｂ中間経路ＰＭ２Ｂ、第２出力経路Ｐ２、第３接続点Ｔ３、第３出力経路Ｐ３、第３Ｂ中間経路ＰＭ３Ｂ、第３下アームダイオードＤＬ３及び第３低圧経路ＰＬ３を含む閉ループ回路を第２下アーム回路とする。この場合、第２上アーム回路の共振周波数及び第２下アーム回路の共振周波数のうち高い方の共振周波数において、第２抵抗体５１のインピーダンスが、第２出力経路Ｐ２及び第３出力経路Ｐ３の合成インピーダンス以下とされている。
【００３２】
本実施形態において、第１接続点Ｔ１、第３高圧経路ＰＨ３、第３上アームダイオードＤＨ３、第３Ａ中間経路ＰＭ３Ａ、第３出力経路Ｐ３、第３接続点Ｔ３、第１出力経路Ｐ１、第１Ａ中間経路ＰＭ１Ａ、第１上アームダイオードＤＨ１及び第１高圧経路ＰＨ１を含む閉ループ回路を第３上アーム回路とする。また、第２接続点Ｔ２、第３低圧経路ＰＬ３、第３下アームダイオードＤＬ３、第３Ｂ中間経路ＰＭ３Ｂ、第３出力経路Ｐ３、第３接続点Ｔ３、第１出力経路Ｐ１、第１Ｂ中間経路ＰＭ１Ｂ、第１下アームダイオードＤＬ１及び第１低圧経路ＰＬ１を含む閉ループ回路を第３下アーム回路とする。この場合、第３上アーム回路の共振周波数及び第３下アーム回路の共振周波数のうち高い方の共振周波数において、第３抵抗体５２のインピーダンスが、第１出力経路Ｐ１及び第３出力経路Ｐ３の合成インピーダンス以下とされている。
【００３３】
以上説明した本実施形態によれば、第１実施形態の効果と同様の効果を得ることができる。
【００３４】
＜第４実施形態＞
以下、第４実施形態について、第１実施形態との相違点を中心に図面を参照しつつ説明する。本実施形態では、図７に示すように、各アーム部２１の構成を変更する。なお、図７において、先の図２に示した構成と同一の構成については、便宜上、同一の符号を付している。
【００３５】
アーム部２１は、第１上アーム導体ＨＢ１、第２上アーム導体ＨＢ２、第１下アーム導体ＬＢ１及び第２下アーム導体ＬＢ２を備えている。各導体ＨＢ１，ＨＢ２，ＬＢ１，ＬＢ２は、板状かつ矩形の平面導体である。本実施形態において、各スイッチ及び各ダイオードは、一体化されている。第１上アームスイッチＳＨ１及び第１上アームダイオードＤＨ１は、第１上アーム導体ＨＢ１上に設けられている。第１上アームスイッチＳＨ１のエミッタは、第１上アーム導体ＨＢ１に接続されている。なお、第２上アーム導体ＨＢ２、第１下アーム導体ＬＢ１及び第２下アーム導体ＬＢ２上のスイッチ及びダイオードについても、第１上アーム導体ＨＢ１上の第１上アームスイッチＳＨ１及び第１上アームダイオードＤＨ１と同様である。
【００３６】
第１，第２上アームスイッチＳＨ１，ＳＨ２のコレクタには、ボンディングワイア等の第１，第２高圧経路ＰＨ１，ＰＨ２を介して正極側導電部材１２Ｈが接続されている。第１，第２上アーム導体ＨＢ１，ＨＢ２には、ボンディングワイア等の第１，第２出力経路Ｐ１，Ｐ２を介して、導電部材１３が接続されている。
【００３７】
第１，第２上アーム導体ＨＢ１，ＨＢ２には、ボンディングワイア等の第１，第２中間経路ＰＭ１，ＰＭ２を介して、第１，第２下アームスイッチＳＬ１，ＳＬ２のコレクタが接続されている。第１，第２下アーム導体ＬＢ１，ＬＢ２には、第１，第２低圧経路ＰＬ１，ＰＬ２を介して、負極側導電部材１２Ｌが接続されている。
【００３８】
第１上アーム導体ＨＢ１と第２上アーム導体ＨＢ２とは、上アーム抵抗体５５Ｈによって接続され、第１下アーム導体ＬＢ１と第２下アーム導体ＬＢ２とは、下アーム抵抗体５５Ｌによって接続されている。
【００３９】
本実施形態において、第１高圧経路ＰＨ１、第１上アームダイオードＤＨ１、第１上アーム導体ＨＢ１、第１出力経路Ｐ１、導電部材１３、第２出力経路Ｐ２、第２上アーム導体ＨＢ２、第２上アームダイオードＤＨ２、第２高圧経路ＰＨ２及び正極側導電部材１２Ｈを含む閉ループ回路を上アーム回路とする。上アーム回路の共振周波数において、上アーム抵抗体５５Ｈのインピーダンスが、第１出力経路Ｐ１及び第２出力経路Ｐ２の合成インピーダンス以下とされている。
【００４０】
本実施形態において、第１低圧経路ＰＬ１、第１下アームダイオードＤＬ１、第１下アーム導体ＬＢ１、第１出力経路Ｐ１、導電部材１３、第２出力経路Ｐ２、第２下アーム導体ＬＢ２、第２下アームダイオードＤＬ２、第２低圧経路ＰＬ２及び負極側導電部材１２Ｌを含む閉ループ回路を下アーム回路とする。下アーム回路の共振周波数において、下アーム抵抗体５５Ｌのインピーダンスが、第１出力経路Ｐ１及び第２出力経路Ｐ２の合成インピーダンス以下とされている。
【００４１】
以上説明した本実施形態では、２つの抵抗体である上，下アーム抵抗体５５Ｈ，５５Ｌが備えられている。このため、上アーム回路の共振周波数における上アーム抵抗体５５Ｈのインピーダンスと、下アーム回路の共振周波数における下アーム抵抗体５５Ｌのインピーダンスとを各別に設定することができる。
【００４２】
＜第５実施形態＞
以下、第５実施形態について、第４実施形態との相違点を中心に図面を参照しつつ説明する。本実施形態では、図８に示すように、各アーム部２１の構成を変更する。なお、図８において、先の図７に示した構成と同一の構成については、便宜上、同一の符号を付している。
【００４３】
アーム部２１は、上アーム導体ＢＰＨと、下アーム導体ＢＰＬとを備えている。各導体ＢＰＨ，ＢＰＬは、板状かつ矩形の平面導体である。上アーム導体ＢＰＨの中央には、スリットＫＨが形成されている。上アーム導体ＢＰＨにおいて、上アーム側スリットＫＨを挟んだ２つの領域のうち一方の領域には、第１上アームスイッチＳＨ１及び第１上アームダイオードＤＨ１が設けられている。他方の領域には、第２上アームスイッチＳＨ２及び第２上アームダイオードＤＨ２が設けられている。上アーム導体ＢＰＨにおいて、上アーム側スリットＫＨを挟んだ２つの領域は、上アーム側スリットＫＨを跨ぐように設けられた上アーム抵抗体５６Ｈによって接続されている。
【００４４】
下アーム導体ＢＰＬの中央には、下アーム側スリットＫＬが形成されている。下アーム導体ＢＰＬにおいて、下アーム側スリットＫＬを挟んだ２つの領域のうち一方の領域には、第１下アームスイッチＳＬ１及び第１下アームダイオードＤＬ１が設けられている。他方の領域には、第２下アームスイッチＳＬ２及び第２下アームダイオードＤＬ２が設けられている。下アーム導体ＢＰＬにおいて、下アーム側スリットＫＬを挟んだ２つの領域は、下アーム側スリットＫＬを跨ぐように設けられた下アーム抵抗体５６Ｌによって接続されている。
【００４５】
以上説明した本実施形態によれば、第４実施形態の効果と同様の効果を得ることができる。
【００４６】
＜その他の実施形態＞
なお、上記各実施形態は、以下のように変更して実施してもよい。
【００４７】
・第１実施形態において、第１共振周波数ｆｒ１及び第２共振周波数ｆｒ２のうち低い方の共振周波数において、抵抗体５０のインピーダンスが、第１出力経路Ｐ１及び第２出力経路Ｐ２の合成インピーダンス以下とされていてもよい。
【００４８】
・インバータ２０を構成するスイッチとしては、ＩＧＢＴに限らず、例えばＮチャネルＭＯＳＦＥＴであってもよい。この場合、ＭＯＳＦＥＴの高電位側端子がドレインであり、低電位側端子がソースである。また、ダイオードとしては、スイッチと一体型のものに限らず、スイッチとは別部品のものであってもよい。
【００４９】
・アーム部２１が、上，下アームスイッチの直列接続体を４つ以上備えていてもよい。
【００５０】
・インバータとしては、３相のものに限らない。また、外部負荷としては、回転電機に限らない。
【符号の説明】
【００５１】
２０…インバータ、３０…回転電機、５０…抵抗体、ＰＭ１Ａ〜ＰＭ２Ｂ…中間経路、ＰＬ１，ＰＬ２…低圧経路、Ｐ１，Ｐ２…出力経路、ＳＨ１〜ＳＬ２…スイッチ、ＤＨ１〜ＤＬ２…ダイオード。
【図１】
2019097285.tif 000003
【図２】
2019097285.tif 000004
【図３】
2019097285.tif 000005
【図４】
2019097285.tif 000006
【図５】
2019097285.tif 000007
【図６】
2019097285.tif 000008
【図７】
2019097285.tif 000009
【図８】
2019097285.tif 000010